(57)【要約】【課題】持ち運びが容易であり、シールドを容易にほぐすことができるシールドほぐし具を提供する。【解決手段】シールドほぐし具１０は、シールドを挟んで対面する第１の面１１１及び第２の面１２１と、該第１の面１１１及び該第２の面１２１に配設された複数のフック状部材１１２，１２２とを有する。シールドの外側に第１の面１１１と第２の面１２１とを接触させたまま、シールドが表出しているシールド線の端部に向かって摺動させることにより、シールドをほぐすことができる。【選択図】図１
2014176121.tif 000002
【特許請求の範囲】
【請求項１】
外側が被覆されたコア線と、網状に編組され該コア線の外側を覆うシールドと、該シールドの外側を絶縁性の部材で被覆する絶縁被覆とを備えるシールド線に対して、該絶縁被覆を剥離して表出した該シールドをほぐす際に使用するシールドほぐし具であって、
該シールドを挟んで対面する第１の面及び第２の面と、該第１の面及び該第２の面に配設された複数のフック状部材とを有し、表出しているシールドの外側に該第１の面と該第２の面とを接触させたまま該シールドが表出している該シールド線の端部に向かって摺動させることにより該シールドをほぐすシールドほぐし具。
【請求項２】
前記第１の面もしくは前記第２の面が指に装着可能な装着具に連結されている請求項１記載のシールドほぐし具。
【発明の詳細な説明】
【技術分野】
【０００１】
本発明は、シールド線のシールドをほぐすシールドほぐし具に関する。
【背景技術】
【０００２】
通信をする通信機器およびＯＡ機器などで使用される通信ケーブルには、外部からの有害電波による悪影響を防止できるシールド線が用いられる。シールド線は、信号を伝達するコア線と、コア線の外側を覆うシールドと、シールドの外側を被覆する絶縁被覆とを有する。シールド線は、複数の細線を、撚りを加えて巻装したり、網目状に編組したりして編成されている。
【０００３】
シールド線を通信機器のコネクタなどに接続する場合、シールド線の端部の絶縁被覆を剥がし、シールドをほぐしてコア線を露出させ、コア線を接続するとともに、シールドをアース接続する。このとき、シールドが巻装もしくは編組されているため、シールドをほぐすのが難しく、作業に時間がかかる。このような問題を解決するための装置として、特許文献１には、対向配置された２つの円板状ブラシを有し、ケーブル挿入口から挿入される網組線に各ブラシの周面が摺動するように回転駆動する網組線ほぐし装置が記載されている。
【先行技術文献】
【特許文献】
【０００４】
【特許文献１】実用新案登録３０６０９７８号
【発明の概要】
【発明が解決しようとする課題】
【０００５】
しかし、特許文献１に記載された装置は、大型なため、通信機器が設置された通信室などの作業現場に持ち込んで使用することが困難な場合がある。
【０００６】
この発明は、このような問題にかんがみなされたもので、持ち運びが容易な小型の器具で、シールドを容易にほぐすことを目的とする。
【課題を解決するための手段】
【０００７】
本発明にかかるシールドほぐし具は、外側が被覆されたコア線と、網状に編組され該コア線の外側を覆うシールドと、該シールドの外側を絶縁性の部材で被覆する絶縁被覆とを備えるシールド線に対して、該絶縁被覆を剥離して表出した該シールドをほぐす際に使用するシールドほぐし具であって、該シールドを挟んで対面する第１の面及び第２の面と、該第１の面及び該第２の面に配設された複数のフック状部材とを有し、該シールドの外側に該第１の面と該第２の面とを接触させたまま該シールドが表出している該シールド線の端部に向かって摺動させることにより該シールドをほぐす。
【０００８】
上記シールドほぐし具は、該第１の面もしくは該第２の面が指に装着可能な装着具に連結されている。
【発明の効果】
【０００９】
本発明にかかるシールドほぐし具は、簡単な構造で小型かつ軽量なので、持ち運びが容易であり、フック状部材の先端がシールドの網目に引っかかるので、シールドを容易にほぐすことができる。
【図面の簡単な説明】
【００１０】
【図１】シールドほぐし具を示す斜視図。
【図２】シールド線を示す破断図。
【図３】シールド線端部処理を工程別に示す図。
【図４】シールドほぐし具の別の例を示す斜視図。
【図５】シールドほぐし具の使用態様を示す図。
【発明を実施するための形態】
【００１１】
図１に示すシールドほぐし具１０は、２つの摺動部１１，１２と、２つの摺動部１１，１２を連結して対向する位置に保持する持ち手部１３とを有する。持ち手部１３は、トングのように変形可能であり、２つの摺動部１１，１２の間隔を容易に変えることができる。例えば、持ち手部１３は、樹脂や金属などにより形成された長尺状の板を中央で折り曲げた形状を有し、一方の端に摺動部１１が固定され、他方の端に摺動部１２が固定されている。
【００１２】
摺動部１１の、摺動部１２に対向する面１１１（第１の面）には、多数のフック状部材１１２が密集して配設されている。摺動部１２の、摺動部１１に対向する面１２１（第２の面）にも、同様に、多数のフック状部材１２２が配設されている。フック状部材１１２，１２２は、例えば樹脂や金属などにより形成された細線の先端を折り曲げた形状を有する。フック状部材１１２，１２２の先端の折り曲げ形状は、例えば、釣り針のような半円形状であってよいし、鉤のような直角形状であってもよい。フック状部材１１２，１２２は、例えば、面ファスナーを構成するフック状の係合素子を有する面を摺動部１１，１２に貼り付けることにより配設される。
【００１３】
図２に示すシールド線９０は、電気信号を伝達するコア線９１と、コア線９１の外側を覆うシールド９２と、シールド９２の更に外側を覆う絶縁被覆９３とを有する。コア線９１は、導体９１１と、導体の周囲を被覆した絶縁体９１２とを有する。シールド９２は、細い導線を網状に編んで形成される。絶縁被覆９３は、絶縁性の部材である。
【００１４】
図３に示すシールド線端部処理８０は、シールド線９０をコネクタなどに接続するために端部を処理するステップを示している。まず、絶縁被覆切断処理８１において、絶縁被覆９３の適切な位置に切れ目９３１を入れる。次に、絶縁被覆除去処理８２において、絶縁被覆９３の切れ目９３１から先の部分を除去し、シールド９２を露出させる。次に、シールドほぐし処理８３において、シールド９２をほぐして、コア線９１を露出させる。
【００１５】
シールドほぐし処理８３では、シールドほぐし具１０の２つの摺動部１１，１２で、露出したシールド９２を挟み、フック状部材１１２，１２２をシールド９２に押し当てて、シールド線９０の先端方向へ向けて摺動させる。これにより、フック状部材１１２，１２２の先端がシールド９２の網目に引っかかり、シールド９２をほぐすことができる。
このとき、シールド９２の撚りに合わせてシールド線９０の周りを回転させながら摺動部１１，１２を摺動させると、容易にシールド９２をほぐすことができる。また、先端に近いほうから少しずつほぐしていくと、更に容易にシールド９２をほぐすことができる。これを何回か繰り返すことにより、簡単、迅速かつきれいにシールド９２をほぐすことができる。
【００１６】
シールドほぐし具１０は、持ち手部１３の先端に摺動部１１，１２を固着した簡単な構造で、小型かつ軽量なので、持ち運びが容易であり、配線作業の現場に持ち込んで使用することが容易である。
【００１７】
図４に示すシールドほぐし具２０は、摺動部２１と、シールドほぐし具２０を指に装着するための装着具２３とが接続されて構成されている。摺動部２１の一方の面２１１には、多数のフック状部材２１２が配設されている。装着具２３は、摺動部２１の、フック状部材２１２が配設されている面２１１の反対側の面に接続されている。装着具２３は、例えばゴムなどの伸び縮み可能な材料で形成されているほうが、使用者の指の太さにかかわらず装着できるので、好ましい。
【００１８】
図５に示すように、シールドほぐし具２０は、２つペアで使用される。例えば、１つを親指７１に装着し、もう１つを人差し指７２に装着して、２つの摺動部２１の間に、シールド線９０の露出したシールド９２を挟み、フック状部材２１２をシールド９２に押し当てて、先端方向へ向けて摺動させる。これにより、フック状部材２１２の先端がシールド９２の網目に引っかかり、シールド９２をほぐすことができる。これを何回か繰り返すことにより、簡単、迅速かつきれいにシールド９２をほぐすことができる。
【００１９】
シールドほぐし具２０は、シールドほぐし具１０と同様、簡単な構造で、小型かつ軽量なので、持ち運びが容易であり、配線作業の現場に持ち込んで使用することが容易である。
【００２０】
なお、フック状部材１１２，１２２，２１２は、先端がシールド９２の網目に引っかかる形状であればよく、図示の形状には限定されない。また、フック状部材１１２，１２２，２１２は、先端がシールド９２の網目に引っかかった状態で引っ張ったとき、先端がシールド９２の網目から外れない程度の硬さを有することが望ましい。
【符号の説明】
【００２１】
１０，２０  シールドほぐし具、１１，１２，２１  摺動部、
１１１，１２１，２１１  面、１１２，１２２，２１２  フック状部材、
１３  持ち手部、２３  装着具、
７１  親指、７２  人差し指、
８０  シールド線端部処理、８１  絶縁被覆切断処理、８２  絶縁被覆除去処理、
８３  シールドほぐし処理、
９０  シールド線、９１  コア線、９１１  導体、９１２  絶縁体、９２  シールド、
９３  絶縁被覆、９３１  切れ目
【図１】
2014176121.tif 000003
【図２】
2014176121.tif 000004
【図３】
2014176121.tif 000005
【図４】
2014176121.tif 000006
【図５】
2014176121.tif 000007